(57)【要約】      （修正有）【課題】簡単な実行できる構造で、より直接的に圧力を検知できる圧力計構造を提供する。【解決手段】中央に気体接続段が形成される設置部品があり、上記設置部品の外周縁に、表層面に複数のリング状しわが形成された金属シートが抵当するための抵当部が伸び、上記シートの中央に形成された穴に、管段が組立てられ、上記管段の外周に螺旋座が嵌合される。回転部材の外周に、渦巻ばねが嵌合され、上記渦巻ばねの一端が、回転部材によって、制限され、そのもう一端が、設置部品の抵当部に覆う支持部材の隣り合う一側によって、制限され、上記の設置部品の抵当部とその上方に覆われた金属シートとの間に、サポートスリーブが設置される。設置部品の抵当部に覆われた支持部材の下段に、凹み枠縁が形成され、設置部品の抵当部とその上方に組立てられた金属シートとの間に、気体だけが通せる接続段と外部に連通して閉鎖される付勢エア室が形成される。  【選択図】図２
0003153919.tif 000002
【実用新案登録請求の範囲】
【請求項１】
中央に、気体接続段が形成される設置部品があり、上記設置部品の外周縁に、表層面に複数のリング状しわが形成された金属シートが抵当されるための抵当部が伸び、上記シートの中央に形成された穴に、管段が組立てられ、上記管段の外周に螺旋座が嵌合され、上記管段にある孔に、上段に回転部材がある支軸が嵌入され、上記支軸の下段に、横棒が嵌合されて、隣り合う螺旋座と、互いにボイコットし、また、回転部材の外周に、渦巻ばねが嵌合され、上記渦巻ばねの一端が、回転部材によって制限され、そのもう一端が、設置部品の抵当部に覆う支持部材の隣り合う一側によって、制限され、上記回転部材の上方において、指針が設置され、同時に、覆う支持部材の上端に、表面と、それとの間に、介在する制限部材と、が組立てられ、設置部品と支持部材及び中間部材から構成される部品の外周に、ケーシングが覆われ、その上方に、透明蓋がある圧力計構造であって、
設置部品の抵当部と上方に覆われた金属シートとの間に、サポートスリーブが設けられ、設置部品に覆われた抵当部に対応して、支持部材の下段に、凹み枠縁が形成され、設置部品の抵当部と上方に組立てられた金属シートとの間に、気体だけが通せる接続段と外部に連通して閉鎖された付勢エア室が形成されることを特徴とする圧力計構造。
【請求項２】
リング状しわ金属シートに結合された管段の下周縁に、シートの上方に抵当するリング状突縁が形成され、また、上記管段の内部に、螺着素子に合わせて方向を固定するための螺条段が形成されることを特徴とする請求項１に記載の圧力計構造。
【請求項３】
上記支持部材の下方にある枠縁と、設置部品の抵当部の上方に組立てられたリング状しわのある金属シートとの間に、中間位置に貫通孔がある爆裂防止板が形成されることを特徴とする請求項１に記載の圧力計構造。
【考案の詳細な説明】
【技術分野】
【０００１】
本考案は、圧力計構造に関し、各種類の圧力を検知するオブジェクト（例えば、圧力計やタイヤゲージ或いはコンプレッサ等である）に組立てられ、上記圧力計は、簡単な部品によって構成され、使用する時、より直接に、圧力を検知できるものに関する。
【背景技術】
【０００２】
既存の圧力を検知するオブジェクト（例えば、圧力計やタイヤゲージ及びコンプレッサ等）に適用された圧力計の部品設計は、様々であり、それらの圧力計は、指針部品が組立てられた中空の支持部材があり、支持部材の外周にケーシングが覆われ、また、その上端が、透明蓋によって封止され、これにより、圧力計の一端から、検知する気体が、そのエア室へ導入されて、組立てられた指針部品が付勢されて回転開始し、ユーザーは、圧力計の表面にある目盛により、圧力の大きさが分かる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、簡単構造により、より直接的に圧力を検知できる圧力計構造を提供する。
【課題を解決するための手段】
【０００５】
本考案は、上記の目的達成するため、中央に、気体接続段が形成される設置部品があり、上記設置部品の外周縁に、表層面に複数のリング状しわが形成された金属シートが抵当されるための抵当部が伸び、上記シートの中央に形成された穴に、管段が組立てられ、上記管段の外周に螺旋座が嵌合され、上記管段にある孔に、上段に回転部材である支軸が嵌入され、上記支軸の下段に、横棒が嵌合されて、隣り合う螺旋座と、互いにボイコットし、また、回転部材の外周に、渦巻ばねが嵌合され、上記渦巻ばねの一端が、回転部材によって制限され、そのもう一端が、設置部品の抵当部に覆う支持部材の隣り合う一側によって、制限され、上記回転部材の上方において、指針が設置され、同時に、覆う支持部材の上端に、表面が組立てられ、その間に、制限部材が介在し、設置部品と支持部材及び中間部材から構成される部品の外周に、ケーシングが覆われ、その上方に、透明蓋がある圧力計構造であって、設置部品の抵当部と上方に覆われた金属シートとの間に、サポートスリーブが設けられ、設置部品に覆われた抵当部に対応して、支持部材の下段に、凹み枠縁が形成され、設置部品の抵当部と上方に組立てられた金属シートとの間に、気体だけが通せる接続段と外部に連通して閉鎖された付勢エア室が形成される、ことを特徴とする圧力計構造である。
【０００６】
上記リング状しわ金属シートとの間に結合された管段の下周縁に、シートの上方に抵当するリング状突縁が形成され、上記管段の内部に、螺着素子に合わせて方向を固定するための螺条段が形成される。
【０００７】
上記支持部材の下方にある枠縁と、設置部品の抵当部の上方に組立てられるリング状しわのある金属シートとの間において、中間部位に貫通孔がある爆裂防止板が形成される。
【０００８】
上記構造のように、本考案は、設置部品の抵当部と、その上方に覆われた金属シートとの間に、サポートスリーブが設置され、また、抵当部に覆う支持部材の下段に、凹み枠縁が形成されることで、設置部品の抵当部の上方と支持部材の枠縁との間に組立てられたパッドとリング状しわ金属シートを利用して、上記抵当部に合わせて確実に方向制限を実現でき、これにより、上記設置部品の抵当部と上方に組立てられた金属シートとの間に、気体だけを通させる接続段と、外部に連通して閉鎖される付勢エア室と、が形成されるため、より直接的に圧力を検知できる。
【０００９】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１０】
図１と図２を参照しながら、本考案は、中央に気体接続段１１が形成される設置部品１があり、上記設置部品１の外周縁に、表層面に複数のリング状しわが形成された金属シート２が抵当するための抵当部１２が伸び、上記シート２の中央に形成された穴２１に、管段３が組立てられ、上記管段３の外周に螺旋座４が嵌合され、管段３にある孔３１に、上段に回転部材５がある支軸５１が嵌入され、上記支軸５１の下段に、横棒５２が嵌合されて、隣り合う螺旋座４と、互いにボイコットし、また、回転部材５の外周に、渦巻ばね５３が嵌合され、上記渦巻ばね５３の一端が、回転部材５によって制限され、そのもう一端が、設置部品１の抵当部１２に覆う支持部材６の隣り合う一側によって、制限され、上記回転部材５の上方において、指針５４が設置され、同時に、覆う支持部材６の上端に、目盛のある表面６１である作用面と、それとの間に介在する制限部材６２とが、組立てられ、回転部材５に設置された支軸５１の上方から、方向限制を行い、設置部品１と支持部材６及び中間素子から構成される部品の外周に、ケーシング７が覆われ、また、その上方に、透明蓋７１があり、これにより、圧力計９が構成され、前記構造が、既存の圧力計の組立て構造であるため、説明は、ここまでにする。
【００１１】
本考案の特徴は、設置部品１の抵当部１２と、上方に覆われた金属シート２との間に、パッド２２が設けられ、設置部品１の抵当部１２に覆われた支持部材６の下段に、凹み枠縁６３が形成され、設置部品１の抵当部１２の上方と支持部材６の枠縁６３との間に組立てられたパッド２２とリング状しわの金属シート２を利用して、抵当部１２に合わせて、確実に方向限制を行い、これにより、設置部品１の抵当部１２と上方に組立てられた金属シート２との間に、気体だけが通せる接続段１１と外部に連通して閉鎖される付勢エア室１３が形成される。
【００１２】
同時に、リング状しわの金属シート２との間に結合された管段３の下周縁に、シート２の上方に抵当するリング状突縁３２が形成され（図２のように）、また、管段３の内部に、螺条段３３が形成されるため、シート２の下方から突出した管段３が、サポートスリーブ３４に嵌合してから、螺着素子３５に合わせて、方向制限でき、そのため、指針部品の管段３とシート２との間において、簡単に、方向結合が行われる。
【００１３】
本実施例に係る圧力計９は、圧力を検知する時（図３のように）、気体１０が、圧力計９の一端にある気体接続段１１からエア室１３へ導入され、所定の圧力に到達すると、金属シート２が、上へ付勢され、それに連動して、その中にある管段３と、それに嵌合された螺旋座４とが、上へ付勢され、そして、回転部材５の下方に嵌合された横棒５２が、ともに、付勢されて、回転部材５が回転開始し、それと同期に、その上方に組立てられた指針５４が、方向回転し、ユーザーは、表面６１上の目盛で、検知する圧力を読取れる。
【００１４】
図４は、本考案の他の実施例であり、その構造は、前記とほぼ同じであり、その差異は、支持部材６の下方にある枠縁６３と方向制限のための設置部品１の抵当部１２の上方に組立てられたリング状しわの金属シート２との間に、中央に貫通孔８１が形成された爆裂防止板８が形成され、これにより、上記金属シート２の上限が制限されて、金属シートの変形爆裂を防止できる。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の部品分解立体図
【図２】本考案の第一の実施例の正面断面図
【図３】本考案の第一の実施例の圧力検知状態の概念図
【図４】本考案の第二の実施例の正面断面図
【符号の説明】
【００１８】
１    設置部品
１０  気体
１１  気体接続段
１２  抵当部
１３  エア室
２    シート
２１  孔
２２  パッド
３    管段
３１  孔
３２  リング状突縁
３３  螺条段
３４  サポートスリーブ
３５  螺着素子
４    螺旋座
５    回転部材
５１  支軸
５２  横棒
５３  渦巻ばね
５４  指針
６    支持部材
６１  表面
６２  制限部材
６３  枠縁
７    ケーシング
７１  透明蓋
８    爆裂防止板
８１  貫通孔
９    圧力計
【図１】
0003153919.tif 000003
【図２】
0003153919.tif 000004
【図３】
0003153919.tif 000005
【図４】
0003153919.tif 000006